(57)【特許請求の範囲】
【請求項１】
オートチューニング手段と、
上記オートチューニング手段による選局中に選択された複数の放送局の各々に対して、受信信号出力の最大値を検出する最大値検出手段と、
上記最大値検出手段によって検出された各放送局の受信信号出力最大値を記憶する最大値記憶手段と、
上記最大値記憶手段に記憶された複数の受信信号出力最大値の平均値を計算する平均値演算手段と、
受信する放送局の受信信号出力最大値を上記平均値になるように出力ゲインを設定する出力ゲイン設定手段と
を備えることを特徴とするラジオ放送受信機。
【請求項２】
請求項1に記載のラジオ放送受信機において、
上記複数の放送局は、受信可能な放送局の中の選局された放送局のみとし、それらの放送局について上記平均値を計算し、選局された放送局が新たに加わった場合には上記平均値の計算をしなおすようにしたラジオ放送受信機。
【請求項３】
請求項1に記載のラジオ放送受信機において、
上記記憶手段は、上記複数の受信信号出力最大値の記憶を随時更新することができ、その更新時間はユーザが自由に設定できるようにしたラジオ放送受信機。
【請求項４】
請求項1に記載のラジオ放送受信機において、
上記出力ゲイン設定手段で設定する出力ゲインは、上記平均値を上記最大値記憶手段に記憶されている最大値で割った値であることを特徴とするラジオ放送受信機。
【発明の詳細な説明】
【０００１】
【発明の属する技術分野】
本発明は、車載用のＡＭ受信機およびＦＭ受信機に関し、特に、ＦＭ放送受信時には各放送局の変調度の違いに基づく音声信号出力に差異が生じるが、本発明はこの種の差異を少なくすることに関する。
【０００２】
【従来の技術】
従来、車載用のラジオ放送受信機として、ＦＭ受信機が用いられているが、これは、送信側で、搬送波の周波数を変調信号によって変調して送信した信号を、受信側で受信し、周波数変調された信号を振幅変調信号に変換し、更に振幅変調信号を復調して音声信号として出力している。従って、放送局によって変調度が相違することに起因して、選局する度に出力レベルが変わることがあった。
【０００３】
【発明が解決しようとする課題】
上記のとおり、従来のラジオ放送受信機においては、各放送局により変調度が著しく異なる場合には、選局する毎に音のレベルが大幅に異なり、その都度音量調整をする必要があった。しかしながら、車載用の機器では運転者がいちいち音量調整を行うことは、大変な作業である。
【０００４】
そこで、運転者は選択した局の放送を音量調整を行わないままで聞くこともあるが、この場合、前回選択した局との音量の違いに不満をもたらすことがある。また、音量調整のため、受信機のゲインを連続的にコントロールすると音にフワフワ感があったりする。
【０００５】
本発明は、従来の車載用ラジオ放送受信機の上記の欠点を克服して、選局時に自動的に音量調整が行われ、どの局を選択してもほぼ同じ音量で受信できる車載用ラジオ放送受信機を提供することを課題とする。
【０００６】
【課題を解決するための手段】
上記の課題を解決するために、本発明は、下記の手段を備えたラジオ放送受信機を提供する。即ち、オートチューニング手段と、オートチューニング手段による選局中に選択された複数の放送局の各々に対して、受信信号出力の最大値を検出する最大値検出手段と、上記最大値検出手段によって検出された各放送局の受信信号出力最大値を記憶する最大値記憶手段と、上記最大値記憶手段に記憶された複数の受信信号出力最大値の平均値を計算する平均値演算手段と、受信する放送局の受信信号出力最大値を上記平均値になるように出力ゲインを設定する出力ゲイン設定手段とを備えることを特徴とするラジオ放送受信機を提供する。
【０００７】
上記ラジオ放送受信機において、前記複数の放送局として受信可能な放送局の中の選局された放送局のみについて上記平均値を計算し、選局された放送局が新たに加わった場合には上記平均値の計算をしなおすようにすることができる。
【０００８】
上記ラジオ放送受信機において、上記記憶手段は、上記複数の受信信号出力最大値の記憶を随時更新することができ、その更新時間は設計者がフィールドテストの結果をふまえて自由に設定できるようにする。
【０００９】
【発明の実施の形態】
以下本発明の一実施形態としてのラジオ放送受信機について、添付図面を参照して説明する。
図１に示すとおり、本発明の一実施形態のラジオ放送受信機は、アンテナＢ１、ＦＭ又はＡＭチューナＢ２、ＤＳＰ（ディジタル・サウンド・プロセッサ）Ｂ３、μコンバータ（利得変換器）Ｂ４、電子ボリュームＢ５、増幅器Ｂ６、及びスピーカＢ７を含む。
【００１０】
アンテナで受信した信号は、ＦＭ／ＡＭチューナにおいて１局だけ選局して、ＤＳＰに送られる。ＤＳＰ回路Ｂ３の出力は、電子ボリュームＢ５、増幅器Ｂ６を通ってスピーカＢ７に送られ、音として出力される。
他方、ＤＳＰで計算した結果の利得制御信号がμ（ゲイン、利得）コンバータＢ４に送られ、受信機の利得を制御するために使われる。
【００１１】
図１中のＤＳＰ（Ｂ３）の部分は例えば図２に示すように構成する。即ち、図２は汎用のＤＳＰのシステム構成を図示したもので、データメモリ部Ｄ１、入出力部Ｄ２、演算部Ｄ３、デコーダ部Ｄ４、及びデータバスＤ５から成る。
【００１２】
図１のＦＭ／ＡＭチューナＢ２から取り出された音声出力信号は、（図示しない）Ａ／Ｄ変換器でディジタル信号に変換され図２の入出力部Ｄ２を通してデータメモリ部Ｄ１のデータＲＡＭ（Ｄ１２）に格納される。データメモリ部Ｄ１にはデータＲＯＭ（Ｄ１１）が設けられており、受信可能な複数の放送局に対する受信音声出力信号の平均値を予め計算して記憶しておくことができる。
【００１３】
新たに選局した局の受信信号の音量が平均音量に比べて大きすぎたり小さすぎたりして、音量調整を必要とする場合は、演算部Ｄ３でデータＲＡＭに記憶されたデータとデータＲＯＭから読み出したデータを基にして計算することによりこれを検知し補正値を計算して結果をデータＲＯＭ（Ｄ１２）に記憶し、入出力部Ｄ２を通して受信機の制御部に送られる。なお、図１ではこの制御部をμコンバータＢ４として表してある。
【００１４】
図２のシステム内のデータの記憶、転送及び演算制御等の動作はデコーダＤ４に格納されたプログラムに従って行われる。因みに、デコーダ部Ｄ４は、プログラムの読み出し制御のためのプログラムカウンタＤ４１、実行するプログラムが書かれたプログラムＲＯＭ（Ｄ４２）、読み出したプログラムを実際の制御命令に変えるプログラムデコーダＤ４３を含む。
【００１５】
本実施の形態における図２に示すＤＳＰ（ディジタル・サウンド・プロセッサ）の機能は概略下記のとおりである。
ａ，入力された音声信号の最大値をその時点で選局された局の受信信号レベルと
してデータＲＡＭに記憶する。例えば、入力される信号の範囲を００００ｈ〜８ＦＦＦｈとすると、今入力された音声信号を５ＥＦ０ｈ等で表す。
【００１６】
ｂ，入力された音声信号の最大値を音声信号レベルとして保持するか否かの選択
を、ソフトウエアによって、外部から制御できるようにする。
ｃ，最大値を保持する時間を自由に設定できるようにする。換言すると、入力音
声信号の最大値を設定した時間の間保持し、設定した時間が経過すると最大値をリセットする。
【００１７】
ｄ，保持（ホールド）している間の最大値は、データとして外部からの要求に応
じて読み出すことができる。
ｅ，このＤＳＰから出力する音声信号のゲインは：
（出力ゲイン）＝（設定値／最大値）
に定める。
【００１８】
次に、設定値の計算について説明する。
今、受信可能な放送局の数を６として、これらの局をＢＣＳ１〜ＢＣＳ６とすると、先ず、任意の１局ＢＣＳ１について一定時間、例えば５分間、の間の音声信号の最大値のデータを記憶する。次に他の任意の１局ＢＣＳ２を選局して同様に一定時間の間の音声信号の最大値のデータを記憶する。以下同様にして、６局全部について最大値のデータを記憶する。
【００１９】
全ての局について受信音声信号レベルの最大値が記憶された後、それら６局の最大値の平均値を計算する。即ち、平均値をＭｍとし、６局ＢＣＳ１，ＢＣＳ２・・・ＢＣＳ６の最大値を夫々Ｍｘ１，Ｍｘ２，・・・Ｍｘ６とすると、
Ｍｍ＝（Ｍｘ１＋Ｍｘ２＋・・・＋Ｍｘ６）／６
である。この値Ｍｍが上記設定値である。
【００２０】
次に、或局ＢＣＳ２が選局された時の音量調整について説明する。
受信可能放送局の数が上述のように６局であるとすると、この６局の受信信号出力の最大値の平均値はＭｍであり、今受信している局ＢＣＳ２の受信信号出力の最大値はＭｘ２であるから、受信機のゲインはＧ＝Ｍｍ／Ｍｘ２に選べばよい。こうすれば、受信信号出力は、Ｍｘ２Ｍｍ／Ｍｘ２＝Ｍｍになり、平均レベルの出力が得られる。
【００２１】
上記平均値（即ち、設定値）は必ずしも受信可能な全局について予め検出して、それらの平均値を計算しておく必要はない。或時点において、それまでに選局した局を全局として平均値を計算し、選局数が増えたら平均値の計算をしなおせばよい。
【００２２】
次に、上記の方法で受信信号出力が平均化される理由を説明する。説明を簡単にするために受信可能局（ここで、受信可能局とは通常受信する局を意味する。従って、受信希望局という言い方もできる。いずれにしても、物理的に可能か不可能かということとは無関係である）はＢＣＳ１とＢＣＳ２の２つであると仮定する。
【００２３】
放送局ＢＣＳ１を受信した場合の音声出力信号最大値を１０、放送局ＢＣＳ２を受信した場合の音声出力信号最大値を１４とすると、上記設定値Ｍｍはこれらの値の平均値であるから、
Ｍｍ＝（１０＋１４）／２＝１２
である。
【００２４】
放送局ＢＣＳ２を受信した時の受信機の出力ゲインはＭｍ／Ｍｘ２であるから、受信機の出力は、１４×（１２／１４）＝１２となる。
この時放送局ＢＣＳ１を受信すると出力は、１０×（１２／１０）＝１２となるから、受信信号レベルは同じになる。
以上は、受信可能局の数が２局の場合の説明であるが、受信局の数が３局、４局・・・と増していった場合にも同様に音量調整を行うことができる。さらに任意の局数についても適用できる。その際、調整された音声出力は設定値Ｍｍとなる。
【００２５】
次に、ゲイン調整動作について、図３を参照して説明する。
ステップＳ１において、選局を行ない受信希望放送局を選択して受信する。
ステップＳ２に進み、受信した信号出力のゲイン調整を行う必要があるか否かを判断する。もし、ゲイン調整をする必要があればステップＳ３に進み出力の調整を行う。例えば出力ゲインを１／ｎに調整する。出力ゲイン調整後ステップＳ４に進む。ステップＳ２においてゲインの調整を必要としないと判断したときは直接ステップＳ４に進む。
【００２６】
ステップＳ４において、今選局した放送局の受信信号出力の最大値Ｍｘを読み取りメモリに記憶し、ステップＳ５に進む。ステップＳ５において、既に記憶されている他の放送局の受信出力信号の最大値を読み出して、それらの最大値の平均値を計算し、これを出力ゲイン計算の基準値（上記の説明では設定値Ｍｍ）とする。
【００２７】
ステップＳ５が終わると、ステップＳ６に進み、出力ゲインＭｍ／Ｍｘを計算する。引き続きステップＳ７に進んで、ゲインの計算をする。もし、ステップＳ３で出力ゲインが１／ｎに調整されていれば、ここで出力するゲイン調整値も１／ｎにする。その後ステップＳ８に進んで終了する。
【００２８】
以上の通り、本発明のラジオ放送受信機は、複数の放送局を順次選局した場合に音量の差異を自動的に調整することができる。
【００２９】
【発明の効果】
本発明のラジオ放送受信機は、オートチューニング等により、放送局を順次選択してゆき受信希望局で信号受信を行った時、ＤＳＰ（ディジタル・サウンド・プロセッサ）により音量調整を自動的に行うので選局した放送局による出力音量のバラツキが無くなる。
音量調整のためのゲイン決定は、複数の局の受信信号出力の平均値を基にして計算で求めるが、この時、平均値を求めるために全放送局の受信信号出力を使わなくてもよいので、適宜計算することができる。
音量調整のための基準値となる平均値を求めるために使うデータは随時更新することができ、この更新はソフトウエアによって簡単に実現できる。
【図面の簡単な説明】
【図１】本発明の車載ラジオ放送受信機の一実施形態のシステム構成図である。
【図２】ＤＳＰ（ディジタル・サウンド・プロセッサ）のシステム構成図である。
【図３】本発明の車載ラジオ放送受信機の動作フローチャートである。
【符号の説明】
Ｂ１‥‥アンテナ、Ｂ２‥‥ＦＭ／ＡＭチューナ、Ｂ３‥‥ディジタル・サウンド・プロセッサ、Ｂ４‥‥μコンバータ、Ｂ５‥‥電子ボリューム、Ｂ６‥‥増幅器、Ｂ７‥‥スピーカ
【図１】
0004016161.tif 000002
【図２】
0004016161.tif 000003
【図３】
0004016161.tif 000004